【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
処置を実施するための装置に結合された処置表示画面にオブジェクトを表示するためのコンピュータ実装方法であって、
前記オブジェクトの第１配置を前記処置表示画面に提示することであって、前記オブジェクトが前記処置表示画面において固定状態にあることと、
前記処置表示画面の再配置モードをアクティブ化することであって、前記固定状態から、前記第１配置と異なる前記オブジェクトの第２配置に前記第１配置の前記オブジェクトが再配置されることを可能にする流動状態へ、前記第１配置の前記オブジェクトが変更されることと、
前記再配置モードでの操作中に前記処置が実施されるのを防止することと、
前記再配置モードでの操作中に前記第２配置を前記処置表示画面に提示することと、
を包含するコンピュータ実装方法。
【請求項２】
前記処置が透析関連手順を含む、請求項１のコンピュータ実装方法。
【請求項３】
前記再配置モードのアクティブ化が独自のキー順の生成を包含する、請求項１のコンピュータ実装方法。
【請求項４】
前記処置の実施の防止が、前記処置表示画面に表示される処置クロックボタンの始動を防止することを包含する、請求項１のコンピュータ実装方法。
【請求項５】
前記装置が透析システムを含み、
さらに、
処置関連事象を検出することと、
前記処置関連事象の検出に応じて、前記第１配置が前記固定状態から前記流動状態へ移行するのを防止することと、
を包含する方法である、
請求項１のコンピュータ実装方法。
【請求項６】
前記処置関連事象の検出が前記透析システムで血液を検出することを含む、請求項５のコンピュータ実装方法。
【請求項７】
前記処置関連事象の検出が、前記処置表示画面に表示される処置クロックボタンのアクティブ化を検出することを含む、請求項５のコンピュータ実装方法。
【請求項８】
さらに、前記再配置モードでの操作中に、
前記オブジェクトが前記処置表示画面の現在場所に残存している非アクティブ期間を決定することと、
前記非アクティブ期間に応じて前記オブジェクトを前記固定状態に置くことと、
を包含する、請求項１のコンピュータ実装方法。
【請求項９】
さらに、
前記第２配置に関連するデータを記憶することと、
前記第２配置に関連する前記データを含む設定オプションである一組の設定オプションを表示することと、
前記設定オプションから一つの設定オプションを選択することと、
を包含する、請求項１のコンピュータ実装方法。
【請求項１０】
前記処置を実施する機械の電力関係条件、前記処置の初期化、および前記処置表示画面に表示される処置クロックボタンのアクティブ化のうち少なくとも一つに応じて、前記設定オプションが表示される、請求項９のコンピュータ実装方法。
【請求項１１】
前記一組の設定オプションがデフォルト設定を含む、請求項９のコンピュータ実装方法。
【請求項１２】
さらに、前記第２配置に関連する前記データを含む前記設定オプションを、最近使用の設定として特定することを包含する、請求項９のコンピュータ実装方法。
【請求項１３】
前記第２配置を前記処置表示画面に提示することが、
前記流動状態の第１オブジェクトが第２オブジェクトの上に位置決めされると決定することと、
サブ画面ボタンにより特定されるオブジェクトレポジトリを生成することと、
前記第１オブジェクトと前記第２オブジェクトとを前記オブジェクトレポジトリに置くことと、
を包含する、請求項１のコンピュータ実装方法。
【請求項１４】
前記第２配置を前記処置表示画面に提示することが、
前記第１配置の第１オブジェクトを前記処置表示画面の第１場所から前記処置表示画面の第２場所へ移動させることと、
前記第２場所の第２オブジェクトを別の場所へ位置変更することと、
を包含する、請求項１のコンピュータ実装方法。
【請求項１５】
前記第２場所の前記第２オブジェクトを別の場所へ位置変更することが、前記第２場所の前記第２オブジェクトを前記第２場所の近傍の場所へ位置変更することを包含する、請求項１４のコンピュータ実装方法。
【請求項１６】
前記第１オブジェクトと前記第２オブジェクトとが交換される、請求項１５のコンピュータ実装方法。
【請求項１７】
さらに、
複数の縦列と複数の横列とを包含する表示マトリクスである前記処置表示画面の表示マトリクスに前記オブジェクトを割り当てることと、
前記第１場所と前記第２場所とが位置決めされる前記表示マトリクスの縦列および横列を決定することであって、前記第１オブジェクトの移動が前記第１場所に空所を形成することを含み、前記第１場所に隣接するオブジェクトを前記第１場所へ移動させることにより前記第１場所の前記空所が除去されることと、
を包含する、請求項１５のコンピュータ実装方法。
【請求項１８】
前記第１場所の前記縦列の左に位置する前記第２場所の前記縦列へ前記第１オブジェクトが移動され、前記第２オブジェクトが前記処置表示画面の右方向に移動される、請求項１７のコンピュータ実装方法。
【請求項１９】
前記第１場所の前記縦列の右に位置する前記第２場所の前記縦列へ前記第１オブジェクトが移動され、前記第２オブジェクトが前記処置表示画面の左方向に移動される、請求項１７のコンピュータ実装方法。
【請求項２０】
前記第１場所の前記縦列の上に位置する前記第２場所の前記横列へ前記第１オブジェクトが移動され、前記第２オブジェクトが前記処置表示画面の下方向に移動される、請求項１７のコンピュータ実装方法。
【請求項２１】
前記第１場所の前記縦列の下に位置する前記第２場所の前記横列へ前記第１オブジェクトが移動され、前記第２オブジェクトが前記処置表示画面の上方向に移動される、請求項１７のコンピュータ実装方法。
【請求項２２】
さらに、前記第２配置を前記処置表示画面へ提示した後で、
前記第２配置を前記流動状態から固定状態へ移行させることと、
前記処置の実施を許可することと、
を包含する、請求項１のコンピュータ実装方法。
【請求項２３】
処置表示画面に表示されたオブジェクトを再配置するためのコンピュータ実装方法であって、
固定状態を有する前記オブジェクトを表示することと、
医療処置を中断することと、
前記オブジェクトを流動状態に置くことと、
前記処置表示画面で前記オブジェクトを再配置することと、
前記オブジェクトの再配置の後に再配置された前記オブジェクトを前記流動状態から前記固定状態へ移行させることと、
を包含するコンピュータ実装方法。
【請求項２４】
前記医療処置が透析関係手順を含む、請求項２３のコンピュータ実装方法。
【請求項２５】
前記医療処置の中断が、前記処置表示画面に表示される処置クロックボタンの始動を防止することを包含する、請求項２３のコンピュータ実装方法。
【請求項２６】
前記流動状態に前記オブジェクトを置くことが、独自のキー順を生成することを包含する、請求項２５のコンピュータ実装方法。
【請求項２７】
前記処置表示画面が透析システムとの電子通信状態にあり、さらに、
処置関連事象を検出することと、
前記処置関連事象の検出に応じて前記オブジェクトが前記流動状態に入るのを防止することと、
を包含する、請求項２３のコンピュータ実装方法。
【請求項２８】
前記処置関連事象の検出は前記透析システムで血液を検出することを含む、請求項２７のコンピュータ実装方法。
【請求項２９】
前記処置関連事象の検出は前記処置表示画面に表示される処置クロックボタンのアクティブ化を検出することを含む、請求項２７のコンピュータ実装方法。
【請求項３０】
さらに、
前記オブジェクトが前記処置表示画面の現在場所に残存している非アクティブ期間を決定することと、
前記非アクティブ期間に応じて前記オブジェクトを前記固定状態に置くことと、
を包含する、請求項２３のコンピュータ実装方法。
【請求項３１】
さらに、
前記オブジェクトに関連するデータを記憶することと、
前記オブジェクトに関係する前記データを含む設定オプションである一組の設定オプションを表示することと、
前記設定オプションから一つの設定オプションを選択することと、
を包含する、請求項２３のコンピュータ実装方法。
【請求項３２】
前記医療処置を実施する機械の電力関連条件、前記医療処置の初期化、前記処置表示画面に表示される処置クロックボタンのアクティブ化のうち少なくとも一つに応じて、前記設定オプションが表示される、請求項３１のコンピュータ実装方法。
【請求項３３】
前記一組の設定オプションがデフォルト設定を含む、請求項３１のコンピュータ実装方法。
【請求項３４】
さらに、再配置された前記オブジェクトに関連する前記データを含む前記設定オプションを、最近使用の設定として特定することを包含する、請求項３１のコンピュータ実装方法。
【請求項３５】
前記処置表示画面に前記オブジェクトを再配置することが、
前記流動状態の第１オブジェクトが第２オブジェクトの上に位置決めされると決定することと、
サブ画面ボタンにより特定されるオブジェクトレポジトリを生成することと、
前記第１オブジェクトと前記第２オブジェクトとを前記オブジェクトレポジトリに置くことと、
を包含する、請求項２３のコンピュータ実装方法。
【請求項３６】
前記処置表示画面に前記オブジェクトを再配置することが、
前記処置表示画面の第１場所から前記処置表示画面の第２場所へ第１オブジェクトを移動させることと、
前記第２場所の第２オブジェクトを別の場所へ位置変更することと、
を包含する、請求項２３のコンピュータ実装方法。
【請求項３７】
前記第２場所の前記第２オブジェクトを別の場所へ位置変更することが、前記第２場所の前記第２オブジェクトを前記第２場所の近傍の場所へ位置変更することを包含する、請求項３６のコンピュータ実装方法。
【請求項３８】
前記第１オブジェクトと前記第２オブジェクトとが交換される、請求項３６のコンピュータ実装方法。
【請求項３９】
処置表示画面に表示される複数のオブジェクトを再配置するためのコンピュータ実装方法であって、
複数のオブジェクトを固定状態から流動状態へ移行させることと、
前記複数のオブジェクトの第１オブジェクトを前記処置表示画面の第１場所から前記処置表示画面の第２場所へ移動させることと、
前記処置表示画面の前記第２場所にある第２オブジェクトの上または近傍に第１オブジェクトを位置決めすることと、
前記処置表示画面の前記第１オブジェクトおよび前記第２オブジェクトを前記処置表示画面の前記第２場所にあるサブ画面ボタンと置換することと、
前記サブ画面ボタンの選択に応じて、前記第１オブジェクトおよび前記第２オブジェクトの少なくとも一方を前記処置表示画面の前記第２場所に再表示することと、
を包含するコンピュータ実装方法。
【手続補正２】
【補正対象書類名】明細書
【補正対象項目名】発明の名称
【補正方法】変更
【補正の内容】
【発明の名称】医療処置装置表示画面にオブジェクトを表示するための方法